(57)【要約】【課題】温度サイクル試験における冷却媒体のロスを低減する。また、試験の短時間化を図り試験回数を増やすことができるようにする。【解決手段】液状の冷却媒体を貯留する冷却室５１と、冷却室５１の上方に連通状態で設けられた加温室５２と、冷却室５１と加温室５２の間の連通路５３を開閉可能に仕切る仕切り機構５４を備える。加温室５２の上方には、下端部を加温室５２内に位置させたときを上昇位置とする昇降軸５５を垂直に支持し、昇降軸５５の下端部に、試験体Ｔを着脱可能に保持する試験体ホルダ５６を設ける。また昇降軸５５には、試験体ホルダ５６を冷却室５１内の冷却媒体としての液化水素ＬＨ２中の位置と、加温室５２内との間に往復動させる昇降機構を備える。動作を行う仕切り機構５４と昇降機構には圧空作動式のものを使用し、パージボックス６３，７８で囲繞する。【選択図】図１
2020076637.tif 000002
【特許請求の範囲】
【請求項１】
液状の冷却媒体を貯留する冷却室と、
前記冷却室の上方に連通状態で設けられた加温室と、
前記冷却室と前記加温室の間の連通路を開閉可能に仕切る仕切り機構を備え、
前記加温室の上方には、下端部を前記加温室内に位置させたときを上昇位置とする昇降軸が垂直に支持され、前記昇降軸の下端部に、試験体を着脱可能に保持する試験体ホルダが形成されるとともに、
前記昇降軸には、前記試験体ホルダを前記冷却室内の冷却媒体中の位置と、前記加温室内との間に往復動させる昇降機構が備えられた
温度サイクル試験装置。
【請求項２】
前記冷却媒体が可燃性液体であり、
前記仕切り機構と前記昇降機構が圧空作動式である
請求項１に記載の温度サイクル試験装置。
【請求項３】
前記仕切り機構と前記昇降機構が、内部に不燃性ガスが供給されるパージボックスで包囲された
請求項１または請求項２に記載の温度サイクル試験装置。
【請求項４】
前記加温室に、前記試験体に加温用のガスを供給するガス導入路とガス放出路が備えられた
請求項１から請求項３のうちいずれか一項に記載の温度サイクル試験装置。
【請求項５】
前記加温室内に、前記ガス導入路に接続されるガス吹き付け手段が設けられ、
前記ガス吹き付け手段に複数のノズルが設けられ、
前記ノズルの配置が、前記試験体の水平方向の周囲を取り囲む配置であり、
前記ノズルの噴射方向が前記試験体に向けられた
請求項４に記載の温度サイクル試験装置。
【請求項６】
前記加温室を構成する筐体が、中空層を有する二重壁構造に形成され、
前記中空層に加温用の流体を循環させる循環手段が備えられた
請求項１から請求項５のうちいずれか一項に記載の温度サイクル試験装置。
【請求項７】
前記冷却室に、液化水素を貯留する液化水素貯留槽が並設されるとともに、
前記冷却室の液相部分と前記液化水素貯留槽の液相部分が、導入管で連結され、
前記冷却室の気相部分と前記液化水素貯留槽の気相部分が、連結管で連結された
請求項１から請求項６のうちいずれか一項に記載の温度サイクル試験装置。
【請求項８】
前記液化水素貯留槽が、前記試験体を浸漬して試験する浸漬容器である
請求項７に記載の温度サイクル試験装置。
【請求項９】
垂直に支持された昇降軸の下端の試験体ホルダに、加温室において試験体を取り付ける試験体取り付け工程と、
前記加温室と前記加温室の下方の冷却室との間に設けられた仕切りを開ける開放工程と、
前記加温室内の前記試験体を前記冷却室内に降下させる試験体降下工程と、
前記冷却室内における液状の冷却媒体内で前記試験体を所定温度まで冷却する冷却工程と、
前記冷却室内の前記試験体を前記加温室内へ上昇させる試験体上昇工程と、
前記仕切りを閉じる閉鎖工程と、
前記加温室内に加温のためのガスを供給するガス供給工程と、
前記試験体を所定温度まで昇温させる昇温工程と、
前記仕切りを開放するとともに前記ガス供給工程でのガスの供給を停止する再冷却準備工程を順に経たのち、前記試験体降下工程から前記再冷却準備工程までの工程を複数回繰り返してから、さらに前記昇温工程まで終えた後、
前記ガス供給工程でのガスの供給を停止する取り出し準備工程と、
前記加温室内において前記試験体ホルダから前記試験体を取り外す試験体取り出し工程を有する
温度サイクル試験方法。
【請求項１０】
前記冷却媒体が可燃性液体である
請求項９に記載の温度サイクル試験方法。
【請求項１１】
前記冷却媒体が液化水素であり、
前記ガス供給工程で、水素ガスを供給する
請求項９に記載の温度サイクル試験方法。
【請求項１２】
前記冷却室内の前記冷却媒体を、前記冷却室に並設された冷却媒体貯留槽のうちの液相部分に連結された導入管を通して導くとともに、
前記冷却室の気化したガスを、前記冷却媒体貯留槽の気相部分に逃がす
請求項９から請求項１１のうちいずれか一項に記載の温度サイクル試験方法。
【発明の詳細な説明】
【技術分野】
【０００１】
この発明は、たとえば極低温温度（冷熱）サイクル試験が可能な温度サイクル試験装置及びその方法に関する。
【背景技術】
【０００２】
温度サイクル試験装置として、下記特許文献１に開示された装置がある。この装置は、空気槽の下に腐食液を貯留した浸漬槽を重ね、その中央部に試料懸垂架腕を上端に有する垂直軸を設け、垂直軸の上下動によって試料が浸漬槽に浸漬され、または空気槽に引き上げられるように構成されている。空気槽には温風ボックスが接続されており、空気槽内に温風を送り込むことができる。また試料懸垂架腕の下端には、垂直軸の上下動によって上下する遮蔽板が設けられており、試料を空気槽に引き上げたときに２槽間を仕切ることが可能である。
【０００３】
ところで、自動車やロケットなどをはじめとする様々な分野における部品には、過酷な環境下でも耐久性があって性能が安定していることが要求されている。このため、液体酸素や液体窒素を用いた極低温温度サイクル試験のための装置も提案されている。
【０００４】
しかし、液化水素を用いた極低温温度サイクル試験装置は存在しなかった。
【０００５】
水素に対する耐性をみる試験として、試験体を液化水素に浸漬するための装置があるが、この装置は単に、開閉可能な蓋を有し保温性のある浸漬容器に試験体を浸漬させるものであって、温度サイクル試験を行うものではない。浸漬容器で温度サイクル試験を行おうとする場合には、試験体を浸漬して冷却した後、浸漬容器内に加温のための水素ガスもしくはヘリウムガスを供給して液化水素を気化させて加熱する必要があるが、加温のたびに液化水素を気化させることになり、液化水素のロスが多い。しかも、加温する際に液化水素が蒸発するまでの間、低温の水素ガスが試験体の周囲に存在するため、温度が上がりにくく、試験に時間がかかる。
【０００６】
また、水素は可燃性であって、扱いには注意が必要であるため、上下動する垂直軸を浸漬槽に貫通支持させなければならない特許文献１の装置の冷却媒体として液化水素を使用することはできない。これは、垂直軸と浸漬槽の間をシールすることができないからである。
【先行技術文献】
【特許文献】
【０００７】
【特許文献１】特開昭６１−１５５７２６号公報
【発明の概要】
【発明が解決しようとする課題】
【０００８】
この発明は、液化水素などの冷却媒体のロスを低減するとともに、試験の短時間化を図り試験回数を増やすことができるようにすることを主な目的とする。
【課題を解決するための手段】
【０００９】
そのための手段は、液状の冷却媒体を貯留する冷却室と、前記冷却室の上方に連通状態で設けられた加温室と、前記冷却室と前記加温室の間の連通路を開閉可能に仕切る仕切り機構を備え、前記加温室の上方には、下端部を前記加温室内に位置させたときを上昇位置とする昇降軸が垂直に支持され、前記昇降軸の下端部に、試験体を着脱可能に保持する試験体ホルダが形成されるとともに、前記昇降軸には、前記試験体ホルダを前記冷却室内の冷却媒体中の位置と、前記加温室内との間に往復動させる昇降機構が備えられた温度サイクル試験装置である。
【００１０】
この構成では、試験体は昇降軸の下端の試験体ホルダに取り付けられて、下に位置する冷却室と、その上に位置する加温室との間を上下動するので、試験においては、冷却室内の冷却媒体を加温のたびに蒸発させることは不要である。また、試験体の加温に際しては、仕切り機構が冷却室と加温室との間の連通路を仕切るので、加温室内の気体が冷却室内に流入することや、逆に冷却室内の冷たいガスが加温室内に流入することを抑制する。試験体を昇降させる昇降軸は、加温室の上方に支持されるので、特別なシール構造なしに支持可能である。
【発明の効果】
【００１１】
この発明によれば、加温室を冷却室の上方に設けて、加温室の上方に支持した昇降軸の上下動で試験体に対して冷却と加温を繰り返し行えるように構成して特別なシール構造を不要にしたので、たとえば液化水素のような冷却媒体を用いた極低温温度サイクル試験装置を得ることができる。しかも、試験体の加温は垂直軸の上昇で行え、冷却媒体を蒸発させる必要がなく、仕切り機構で加温時に冷却室との間を仕切ることができるので、冷却媒体の消費を抑え無駄をなくすことが可能である。また加温室の昇温を速やかに行え、試験時間の大幅な短縮を図って試験回数を増やすことができる。
【図面の簡単な説明】
【００１２】
【図１】液化水素を用いた試験装置の概略構成図。
【図２】温度サイクル試験部の冷却室側の部分を示す断面図。
【図３】温度サイクル試験部の断面図。
【図４】温度サイクル試験部の加温室を示す断面図。
【図５】吹き付け手段の斜視図。
【図６】吹き付け手段の平面図。
【図７】液化水素を用いた温度サイクル試験方法を示すフロー図。
【発明を実施するための形態】
【００１３】
この発明を実施するための一形態を、以下図面を用いて説明する。
【００１４】
図１に、試験装置１１を示す。この試験装置１１は、液化水素温度まで冷却して耐久性を検証する長期浸漬試験部１３と、この発明の「温度サイクル試験装置」としての、極低温温度サイクル試験を行う温度サイクル試験部１５を有している。試験装置１１では冷却媒体として液状の液化水素ＬＨ２が使用される。
【００１５】
まず、長期浸漬試験部１３について簡単に説明し、続いて、温度サイクル試験部１５について説明する。
【００１６】
長期浸漬試験部１３は、液化水素ＬＨ２を貯留する冷却媒体貯留槽としての浸漬容器３１で構成される。浸漬容器３１は、上端が開口した容器本体３２と、容器本体３２の開口に着脱自在に取り付けられて容器本体３２を閉塞する蓋体３３を備え、容器本体３２は真空断熱層３４を有している。蓋体３３は、容器本体３２の上端部に嵌まり込む断熱材３５を有しており、蓋体３３には、液化水素供給ポート３６と、水素ガス放出ポート３７が設けられている。液化水素供給ポート３６から下方には、供給管３８が延設されており、供給管３８の先端は容器本体３２の内周面に沿わせてある。蓋体３３の断熱材３５より下には、バッフルプレート３９が備えられている。
【００１７】
また蓋体３３には、液面計４０が備えられており、液面計４０は、容器本体３２に貯留する予め設定された液化水素ＬＨ２の最大限度量、すなわち液面最大高さ４１を検出する。
【００１８】
長期浸漬試験部１３は、重量計４２の上に載置され、重量計４２の計測値に基づいて内部の液化水素ＬＨ２の貯留量が判断される。
【００１９】
容器本体３２には、上下に配設された２本の管が外部に向けて延びている。２本の管とは、容器本体３２における液化水素ＬＨ２が貯留されている液相部分に設けられた導入管４３と、容器本体３２における液化水素ＬＨ２の液面より上の気相部分に設けられた連結管４４である。連結管４４は前述の液面最大高さ４１より上に設けられる。
【００２０】
つぎに、温度サイクル試験部１５について説明する。温度サイクル試験部１５の概要は次のとおりである。
【００２１】
温度サイクル試験部１５は、液化水素ＬＨ２を貯留する冷却室５１と、冷却室５１の上方に連通状態で設けられた加温室５２と、冷却室５１と加温室５２の間の連通路５３を開閉可能に仕切る仕切り機構５４を備えており、長期浸漬試験部１３の浸漬容器３１に、導入管４３と連結管４４を介して並設されている。
【００２２】
導入管４３と連結管４４が接続されるのは温度サイクル試験部１５における冷却室５１である。つまり、冷却室５１の液相部分と浸漬容器３１の液相部分が導入管４３で連結され、冷却室５１の気相部分と浸漬容器３１の気相部分が連結管４４で連結される。
【００２３】
加温室５２の上方には、下端部を加温室５２内に位置させたときを上昇位置とする昇降軸５５が垂直に支持され、昇降軸５５の下端部に、試験体Ｔを着脱可能に保持する試験体ホルダ５６が形成されている。昇降軸５５はストロークなどを考慮して適宜長さ設定されており、下端部の試験体ホルダ５６は、略円板状に形成され、適宜形態の試験体Ｔを保持できる適宜の保持手段が備えられている。
【００２４】
また試験体ホルダ５６には、保持した試験体Ｔの温度を計測するための温度センサ５７が内蔵されている（図３、図４参照）。
【００２５】
昇降軸５５には、試験体ホルダ５６を冷却室５１内の液化水素ＬＨ２中の位置と、加温室５２内との間に往復動させる昇降機構５８が備えられる（図３、図４参照）。この昇降機構５８と、連通路５３の仕切り機構５４は、共に圧空作動式である。
【００２６】
具体的に説明すると、冷却室５１は図２に示したように有底筒状であり、上端を除く全体に真空断熱層５９を有している。冷却室５１の下端部には導入管４３が接続されており、浸漬容器３１内の液化水素ＬＨ２が自然に導入される構造である（図１参照）。このような構造であるため、冷却室５１内の液化水素ＬＨ２の液面は、浸漬容器３１内の液化水素ＬＨ２の液面と同じになる。
【００２７】
冷却室５１の上部には、連結管４４が接続されている。連結管４４の接続位置は、浸漬容器３１の液面最大高さ４１と同じ液面最大高さ６０よりも上である。
【００２８】
また、冷却室５１の上端部には、内圧が異常に上昇したときに水素ガスＧＨ２を逃がす安全弁６１が設けられている。
【００２９】
冷却室５１の上が前述の連通路５３であり、連通路５３には、仕切り機構５４の仕切弁６２が進退可能に備えられている。仕切弁６２は、連通路５３を横断する方向に往復動可能に設けられており、前述のように圧空作動式である。つまり、図１、図３に示したように、仕切り機構５４は圧縮空気の送り込みと排出で仕切弁６２の開閉（ＯＰＥＮ／ＣＬＯＳＥ）を行う。このような仕切り機構５４にはゲートバルブが好適に使用できる。
【００３０】
仕切り機構５４の圧空作動式のアクチュエータは、パージボックス６３で包囲されている。パージボックス６３には、図３に示したように、内部に不燃性ガスを出し入れする供給口６３ａと排出口６３ｂが設けられており、離れた位置に設けられた供給源（図示せず）から例えば窒素などの不燃性ガスが少しずつ供給されるとともに排出されて、パージボックス６３内を常に不燃性ガスで満たすようにしている。これはアクチュエータの駆動に必要なセンサに通電がなされるからである。
【００３１】
連通路５３の上の加温室５２は、図３、図４に示したように、上下が貫通した箱状であり、側面には開閉可能な扉体６４が設けられている（図４参照）。加温室５２を構成する筐体５２ａは、中空層６５を有する二重壁構造であり、筐体５２ａには中空層６５に加温用の流体を循環させる循環手段として、流体入口６６と流体出口６７が形成され（図３参照）、流体入口６６と流体出口６７には、図示しない流体供給源に接続されている。ここに用いる流体は、適宜選定できるが、例えば水や湯を利用できる。
【００３２】
加温室５２には、試験体ホルダ５６に取り付けられた試験体Ｔに加温用のガスを供給するガス導入路６８とガス放出路６９が備えられている（図４参照）。具体的には、筐体５２ａの側面の開口を開閉可能に塞ぐ扉体６４に、ガス導入路６８とガス放出路６９が形成され、これらガス導入路６８とガス放出路６９には、離れた位置に設けられたガス供給源（図示せず）が接続されている。ガス導入路６８とガス放出路６９に接続されるガス供給源としては、前述の加温用のガスを供給するもののほか、置換用の不燃性ガスを供給するものも備える。
【００３３】
加温に用いるガスは、液化水素ＬＨ２での冷却温度よりも高い適宜の温度の水素ガスもしくはヘリウムガスを用いる。例えば水素に対する耐性を検証する場合には水素ガスを用いるとよく、試験体Ｔの取り出しを含めて取り扱い性を考えればヘリウムガスを用いるとよい。
【００３４】
加温のためのガスの供給は、単に流し込むだけでもよいが、より効率よい温度上昇を図るべく、加温室５２内にガス吹き付け手段７１が設けられる。
【００３５】
ガス吹き付け手段７１は、ガス導入路６８に接続されており、図４に示したように扉体６４の内面に一体に備えられている。ガス吹き付け手段７１が扉体６４に設けられているため、扉体６４を開いたときにガス吹き付け手段７１は加温室５２から出て、扉体６４を閉じるとガス吹き付け手段７１は試験体Ｔを囲む構造である。
【００３６】
図５に扉体６４の概略構造の斜視図を示す。ガス吹き付け手段７１は、ガス導入路６８に接続されて平面視Ｕ字状をなす幹部７２と、幹部７２の下面に配設された複数の円筒状のノズル７３で構成されている。幹部７２は平面視Ｕ字状であるので、半円弧状の円弧部７２ａと、円弧部７２ａの両側からまっすぐに延びる直線部７２ｂを有している。直線部７２ｂ同士の間隔は、試験体ホルダ５６や試験体Ｔの大きさよりも大きく設定され、直線部７２ｂ同士の間が試験体ホルダ５６又は試験体Ｔが相対移動する出入り口となる。
【００３７】
幹部７２の縦断面形状は方形であり、幹部７２の太さはノズル７３の直径より太く形成されている。ノズル７３は、外周面の一部に長手方向に沿って配設された複数の噴口７３ａを有している。
【００３８】
ノズル７３の配置は、図６に示したように、試験体Ｔの水平方向の周囲を取り囲む配置である。つまり、平面視Ｕ字状の幹部７２における円弧部７２ａ分の中心点Ｐを中心にした円周上にノズル７３が配設されている。そしてノズル７３の噴口７３ａの向き、すなわち噴射方向は、円弧部７２ａの中心点Ｐに、つまり試験体Ｔに向けられている。
【００３９】
扉体６４の外面には、開閉のための取っ手７４が設けられている。扉体６４は筐体５２ａの開口に対してボルト止めなどの適宜の閉鎖手段で固定される。図面では扉体６４の閉鎖手段の図示を省略している。
【００４０】
加温室５２の上には前述の昇降機構５８が設けられる。昇降機構５８は、昇降軸５５に沿って立設された２本のレール部７５と、これらレール部７５上を走行するスライダ７６で構成される。スライダ７６は、昇降軸５５の上端部に保持され昇降軸５５と直交する方向に広がるスライダ取り付け板７７の縁から垂設されている。スライダ７６の上昇と下降は、前述のとおり仕切り機構５４と同様に圧空作動式である。つまり、昇降機構５８は圧縮空気の送り込みと排出によってスライダ７６が上下動（ＵＰ／ＤＯＷＮ）する構造である。
【００４１】
この昇降機構５８においても、前述の仕切り機構５４の場合と同様、パージボックス７８が設けられている。すなわち、図４に示したように、パージボックス７８には内部に不燃性ガスを出し入れする供給口７８ａと排出口７８ｂが設けられており、供給口７８ａと排出口７８ｂには、離れた位置に設けられた供給源（図示せず）が接続されている。
【００４２】
また、昇降機構５８の昇降軸５５の周囲には、加温室５２内の気体がパージボックス７８内のセンサなどの電子部品に影響を与えないように囲い込むためのベローズ８１が設けられている。具体的には、図４に示したように、スライダ取り付け板７７の下面にベローズ８１の上端の上端板部８２が設けられ、上端板部８２の中央の貫通穴８２ａに対して気密性を持たせて昇降軸５５を挿通している。ベローズ８１の下端の下端板部８３は、加温室５２との間の連通部を塞いで加温室５２の上端面に固定され、下端板部８３の貫通穴８３ａに対して気密性を持たせて昇降軸５５を挿通している。
【００４３】
以上のように構成された試験装置１１では、図７に示したような工程で温度サイクル試験を行う。
【００４４】
すなわち、垂直に支持された昇降軸５５の下端の試験体ホルダ５６に、加温室５２において試験体Ｔを取り付ける試験体取り付け工程Ｓ１と、加温室５２内を不燃性ガスで置換する置換工程Ｓ２と、加温室５２と加温室５２の下方の冷却室５１との間に設けられた仕切りを開ける開放工程Ｓ３と、加温室５２内の試験体Ｔを冷却室５１内に降下させる試験体降下工程Ｓ４と、冷却室５１内の液化水素ＬＨ２内で試験体Ｔを所定温度まで冷却する冷却工程Ｓ５と、冷却室５１内の試験体Ｔを加温室５２内へ上昇させる試験体上昇工程Ｓ６と、仕切りを閉じる閉鎖工程Ｓ７と、加温室５２内に加温のためのガスを供給するガス供給工程Ｓ８と、試験体Ｔを所定温度まで昇温させる昇温工程Ｓ９と、仕切りを開放するとともにガス供給工程Ｓ８でのガスの供給を停止する再冷却準備工程Ｓ１０を順に経たのち、試験体降下工程Ｓ４から再冷却準備工程Ｓ１０までの工程を複数回繰り返してから、さらに昇温工程Ｓ９まで終えた後、ガス供給工程Ｓ８でのガスの供給を停止する取り出し準備工程Ｓ１１と、加温室５２内において試験体ホルダ５６から試験体Ｔを取り外す試験体取り出し工程Ｓ１２を有する温度サイクル試験方法である。
【００４５】
試験体取り付け工程Ｓ１では、加温室５２の扉体６４を開けて、上昇位置にある昇降軸５５の試験体ホルダ５６を露出させて試験体Ｔを取り付ける。試験体ホルダ５６に備えられる保持手段は、図３、図４の例では、円筒形状の試験体Ｔを外周面に嵌める短柱状の保持体５６ａである。保持体５６ａは、試験体ホルダ５６に対する螺合や、他の部材を用いた結合などによって試験体ホルダ５６の下面に取り付け可能に構成されている。このような保持体５６ａなしに試験体ホルダ５６に対して直接ボルト固定するなど、取り付け構造に応じて試験体Ｔの取り付けがなされる。
【００４６】
このとき、加温室５２の中には可燃性ガスや有毒ガスがない状態であり、連通路５３における前述の仕切りとしての仕切弁６２は閉鎖されている。冷却室５１内の液化水素ＬＨ２は存在しない場合も存在する場合もある。
【００４７】
置換工程Ｓ２では、安全のために不活性ガスなどの不燃性ガスで雰囲気を置換する。この置換工程Ｓ２では、扉体６４に設けたガス導入路６８からガス吹き付け手段７１を介して不燃性ガスを供給する。不燃性ガスによる置換操作の代わりに、真空引きを行ってもよい。
【００４８】
このあと、冷却室５１に液化水素ＬＨ２が貯留されていない場合には、浸漬容器３１の液化水素供給ポート３６から所定量の液化水素ＬＨ２を供給する。
【００４９】
続く開放工程Ｓ３では、閉じてあった仕切弁６２を開いて試験体Ｔの冷却準備を行う。
【００５０】
試験体降下工程Ｓ４では、昇降機構５８を駆動して昇降軸５５を下げ、試験体Ｔを液化水素ＬＨ２の中に浸して冷却工程Ｓ５に移行する。試験体Ｔが浸漬されることによって液化水素ＬＨ２が万が一突沸したとしても、冷却室５１には液面最大高さ６０より上に浸漬容器３１につながる連結管４４が設けられているので、水素ガスＧＨ２は浸漬容器３１に逃がされ、安全は確保される。
【００５１】
試験体ホルダ５６に備えた温度センサ５７の検知に基づいて、試験体Ｔが所定の冷却温度になったと判断されたあとは、冷却工程Ｓ５を終了し、昇降機構５８が駆動して昇降軸５５を上げる試験体上昇工程Ｓ６に移行する。
【００５２】
試験体上昇工程Ｓ６によって、試験体Ｔは加温室５２内に収容されることになる。
【００５３】
続く閉鎖工程Ｓ７では、仕切り機構５４が駆動して仕切弁６２で連通路５３を閉じて冷却室５１を隔絶する。これにより、冷却室５１内の液化水素ＬＨ２が気化した水素ガスＧＨ２が加温室５２に入り込むことを防止するとともに、加温室５２内の気体が冷却室５１に入って液化水素ＬＨ２の気化が促進されることを防止する。
【００５４】
このあと、ガス供給工程Ｓ８に移行して、扉体６４のガス導入路６８から加熱のためのガスを供給し、試験体Ｔに作用したガスをガス放出路６９から出す。このガスには、常温の水素ガスＧＨ２や加熱した水素ガスＧＨ２が用いられる。このほか、ヘリウムガスを用いてもよい。
【００５５】
なお、加温室５２の筐体５２ａには、流体入口６６から供給された水や湯などの加温のための流体が循環しており、加温室５２は温められている。この作用と、前述のように仕切弁６２が冷却室５１を隔絶することによって、試験体Ｔの加温は円滑になされる。
【００５６】
しかも、ガス導入路６８から取り込まれる加温のためのガスは、ガス吹き付け手段７１によって、試験体Ｔに向けて吹き付けられるので、試験体Ｔは速やかに温度上昇する。
【００５７】
試験体ホルダ５６に備えた温度センサ５７の検知に基づいて、試験体Ｔが所定の加温温度になったと判断されたあとは、昇温工程Ｓ９を終了し、再冷却準備工程Ｓ１０に移行する。つまり、仕切り機構５４を駆動して仕切弁６２を開くとともにガス導入路６８からのガスの導入を停止する。
【００５８】
このあとは、前述した試験体降下工程Ｓ４から再冷却準備工程Ｓ１０までの各工程を必要な複数回繰り返す。
【００５９】
必要回数の冷却工程Ｓ５を終えたあとは、さらに試験体上昇工程Ｓ６、閉鎖工程Ｓ７、ガス供給工程Ｓ８、昇温工程Ｓ９を経て、次に取り出し準備工程Ｓ１１に移行する。つまりガス導入路６８からのガスの供給を停止して加温室５２内を不燃性ガスで置換する。ガス供給工程Ｓ８で用いるガスが不燃性ガスである場合には、置換は省略できる。
【００６０】
最後に、加温室５２の扉体６４を開けて試験体ホルダ５６から試験体Ｔを取り外す。
【００６１】
このように、試験体Ｔは下に位置する冷却室５１とその上に位置する加温室５２との間を上下動して冷却と加温を繰り返すので、試験において冷却室５１内の液化水素ＬＨ２を加温のたびに蒸発させることは不要である。このため、液化水素ＬＨ２の消費を大幅に削減でき、液化水素ＬＨ２の無駄をなくすことができる。
【００６２】
液化水素ＬＨ２の無駄削減の効果は、試験体Ｔの加温に際して仕切り機構５４が冷却室５１と加温室５２の間の連通路５３を仕切ることで、液化水素ＬＨ２の気化を抑制することによっても高められる。
【００６３】
また、試験体Ｔの昇温は、加温室５２を冷却室５１から仕切った状態で行われるので、冷却室５１内の冷たい水素ガスＧＨ２が加温室５２内に流入することを抑制できる。このため、流体を用いた加温室５２の加温とガス吹き付け手段７１による積極的で効果的な加温と相まって、試験体Ｔの昇温が速やかに行える。
【００６４】
この結果、試験体Ｔの昇温に液化水素ＬＨ２の蒸発が不要であることも相まって、冷却と昇温のサイクルの短時間化を図ることができるようになり、試験の回数を大幅に増やすことが可能である。
【００６５】
付言すると、試験体の昇温に際して液化水素を蒸発させる方法で温度サイクル試験を行う場合、約２０ｋｇの液化水素を使用するとき、試験体の温度を一度下げてから上げるまでを１サイクルとすると、１サイクルには３日間を要していた。つまり、試験容器内に試験体を設置し、試験容器内に液化水素を供給して試験体の冷却を行い、このあと試験容器内の液化水素を放置することで蒸発させるわけであるが、蒸発するまでに約３日間が必要であった。しかも、液化水素の消費量は供給した量の約２０ｋｇである。
【００６６】
これに対して、前述した試験装置１１を用いて温度サイクル試験を行った場合には、同じ約２０ｋｇの液化水素を用いた場合でも、１サイクルにかかる時間は約１時間であり、液化水素のロス量は０．５ｋｇであった。
【００６７】
このように、温度サイクル試験に要する時間の大幅な短縮と、液化水素の無駄の顕著な削減を実現できることがわかる。
【００６８】
また、昇降機構５８と仕切り機構５４は圧空作動式であってモータ駆動式ではないので、可燃性ガスである水素を、電気機器や電子部品から隔離して封じ込めやすい。そのうえ昇降機構５８と仕切り機構５４はパージボックス６３，７８を備えているので、安全を確保できる。このため、冷却媒体として液化水素のような可燃性液体を用いても安全装置が得られる。
【００６９】
そのうえ試験装置１１は、温度サイクル試験部１５を用いた温度サイクル試験のほかに、長期浸漬試験部１３を用いた長期浸漬試験もできるので、利便性が高い。
【００７０】
以上の構成はこの発明を実施するための一形態であって、この発明は前述の構成のみに限定されるものではなく、その他の構成を採用することができる。
【００７１】
例えば、長期浸漬試験部１３に代えて、液化水素ＬＨ２を単に貯留する液化水素貯留槽を備えてもよい。
【００７２】
試験装置１１や温度サイクル試験装置（温度サイクル試験部１５）の冷却媒体には、前述の液化水素ＬＨ２のほか、例えば液化窒素や液化ヘリウム、液化天然ガスなどの適宜の冷却媒体を用いることができ、加温のためのガスも適宜設定される。
【符号の説明】
【００７３】
１５…温度サイクル試験部
３１…浸漬容器
４３…導入管
４４…連結管
５１…冷却室
５２…加温室
５３…連結路
５４…仕切り機構
５５…昇降軸
５６…試験体ホルダ
５８…昇降機構
６３…パージボックス
６５…中空層
６６…流体入口
６７…流体出口
６８…ガス導入路
６９…ガス放出路
７１…ガス吹き付け手段
７３…ノズル
７８…パージボックス
Ｔ…試験体
【図１】
2020076637.tif 000003
【図２】
2020076637.tif 000004
【図３】
2020076637.tif 000005
【図４】
2020076637.tif 000006
【図５】
2020076637.tif 000007
【図６】
2020076637.tif 000008
【図７】
2020076637.tif 000009